(57)【要約】【課題】  多区分の紙幣が混在する収納庫から、特定区分の紙幣のみを効率よく取り出す。【解決手段】  紙幣取扱装置は、リジェクト券、偽券、不明券を混在して収納するリジェクトボックス１６０を備える。オペレータが偽券、不明券の回収指示を行うと、紙幣取扱装置は、リジェクトボックス１６０から紙幣を搬出し、偽券、不明券を選別して入出金口１１１に搬送し、その他の紙幣を一時保管庫１２２に搬送する。偽券、不明券は、回収時に鑑別を行うことで選別してもよいし、入金時の鑑別結果を紙幣単位で対応づけて管理するデータベースを参照して選別してもよい。こうすることで、特定区分の紙幣を効率的に選別回収することが可能となる。【選択図】  図２
2005092421.tif 000002
【特許請求の範囲】
【請求項１】
紙幣取扱装置であって、
多区分の紙幣を混在して収納する収納庫と、
前記区分のうち特定区分に該当する紙幣を回収する回収指示を受ける指示入力部と、
前記回収指示に応じて、前記収納庫に収納された紙幣の中から前記特定区分の紙幣を選別する選別部と、
前記収納庫から前記紙幣を繰り出し、前記選別の結果に応じて、該特定区分の紙幣を所定の回収部に搬送する搬送部とを備える紙幣取扱装置。
【請求項２】
請求項１記載の紙幣取扱装置であって、
前記搬送部による搬送過程において前記紙幣の区分に関する鑑別を行う鑑別部を備え、
前記選別部は、該鑑別の結果に応じて前記選別を行う紙幣取扱装置。
【請求項３】
請求項１記載の紙幣取扱装置であって、
前記搬送部は、更に、所定の取込口から該紙幣取扱装置内に紙幣を取り込み、前記収納庫への収納を行うことが可能であり、
該取り込まれる紙幣について前記区分に関する鑑別を行う鑑別部と、
前記鑑別の結果を前記収納庫に収納される紙幣単位で対応付けて記憶する記憶部とを備え、
前記選別部は該記憶部を参照して前記選別を行う紙幣取扱装置。
【請求項４】
請求項３記載の紙幣取扱装置であって、  前記記憶部は、前記取り込まれる紙幣を入金した入金者を特定可能な情報を併せて記憶する紙幣取扱装置。
【請求項５】
請求項１〜４のいずれかに記載の紙幣取扱装置であって、
前記回収部を含めて、前記収納庫から繰り出された紙幣の搬送先を複数備えており、
前記搬送部は、前記選別部による前記選別の結果に基づいて、前記紙幣の搬送先を切り換える紙幣取扱装置。
【請求項６】
請求項１〜５のいずれかに記載の紙幣取扱装置であって、
前記区分は、紙幣の真偽に基づいて定められ、
前記特定区分は、偽券の疑いのある不明券を含む紙幣取扱装置。
【請求項７】
紙幣取扱装置の制御方法であって、
多区分の紙幣を混在して収納する収納庫内の紙幣について、前記区分のうち特定区分の紙幣を回収する回収指示を受ける工程と、
前記回収指示に応じて前記特定区分の紙幣を選別する選別工程と、
前記収納庫から前記紙幣を繰り出し、前記選別の結果に応じて、該特定区分の紙幣を所定の回収部に搬送するための制御を実行する搬送制御工程とを備える制御方法。
【発明の詳細な説明】
【技術分野】
【０００１】
本発明は、紙幣の入出金を行う紙幣取扱装置において、装置内に収納された紙幣の回収方法に関する。
【背景技術】
【０００２】
金融機関等でユーザに対する入出金に利用される現金自動取引装置（以下、ＡＴＭという）は、紙幣の入出金を行うための紙幣取扱装置を内蔵している。紙幣取扱装置には、入金された紙幣を、別の取引での出金に再利用する型、いわゆる環流型と呼ばれる装置がある。環流型の紙幣取扱装置は、次の動作によって入出金を行う。
【０００３】
入金時には、紙幣取扱装置は、入金口から繰り出された紙幣の金種・真偽を鑑別して、入金された金額を計数する。この際、真券と判断された紙幣は一時保管庫に保管され、その他の紙幣は入出金口に返却される。この動作を「入金計数」と称する。その後、ユーザが入金金額を確認すると、紙幣取扱装置は、一時保管庫に保管されていた紙幣を、金種ごとに環流用の保管庫（以下、「環流庫」と称する）に収納する。これと併せて、ＡＴＭは、入金金額、口座情報などを、ホストコンピュータに通知する。この動作を「入金収納」と称する。出金時には、指定された金額に相当する紙幣を、各金種の環流庫から出金口に繰り出す。
【０００４】
紙幣取扱装置に投入された紙幣には、環流に適さないものも含まれる。かかる紙幣としては、例えば、損傷が激しい真券、偽券、鑑別によって偽券の疑いがあると判断された不明券などが挙げられる。入金計数時にこれらの紙幣が発見された場合には、その紙幣は、入出金口に返却される。入金収納時にこれらの紙幣が発見された場合には、その紙幣は、環流庫とは別に設けられたリジェクトボックスと呼ばれる回収庫に回収される。リジェクトボックスの紙幣は、以後の環流には使用されない。上述した環流型の紙幣取扱装置の構造および動作は、例えば、特許文献１などに開示されている。
【０００５】
【特許文献１】特開２００３−０５１０５０号公報
【発明の開示】
【発明が解決しようとする課題】
【０００６】
金融機関では、リジェクトボックスに収納された紙幣のうち、不明券については再度、詳細に真偽鑑別が行われる。リジェクトボックスに収納されるリジェクト券には、損傷した真券である損券、偽券および不明券等が混在した状態で含まれるため、損券も含めて再鑑別が行われており、処理に無駄が生じていた。
【０００７】
かかる課題を解決するために、入金時の鑑別結果に基づいて、不明券だけを収納する専用の収納庫をリジェクトボックスとは別に設けるという方法も可能ではある。しかし、この場合は、新たな収納庫を設けるために紙幣取扱装置が大型化するという別の課題や、既存の収納庫を不明券専用に割り当てることによって紙幣取扱装置内の収納庫の数が不足するという別の課題を招く可能性があった。
【０００８】
このような課題は、環流型の紙幣取扱装置に限らず、非環流型の紙幣取扱装置、いわゆるキャッシュディスペンサ（以下、ＣＤ機と称する）にも共通の課題であった。また、必ずしも不明券を選別して回収する場合のみならず、特定の金種の紙幣を選別して回収する場合、損券のみを選別して回収する場合などにおいても、共通して生じ得る課題であった。
【０００９】
本発明は、かかる課題に鑑み、紙幣取扱装置において、多区分の紙幣が混在する収納庫から、特定区分の紙幣のみを効率よく選別回収可能とすることを目的とする。
【課題を解決するための手段】
【００１０】
上記課題の少なくとも一部を解決するため、本発明では、多区分の紙幣を混在して収納する収納庫を備える紙幣取扱装置において、指示入力部と、選別部と、搬送部とを備える構成を適用した。区分とは、所定の基準による紙幣の分類であり、例えば、金種による区分、真偽による区分、損耗度合いによる区分などが挙げられる。指示入力部は、これらの区分のうち特定区分に該当する紙幣を回収する回収指示を受ける。回収対象となる特定区分は、予め設定されているものとしてもよいし、回収指示と併せて指定するものとしてもよい。選別部は、この指示に基づいて、特定区分の紙幣を選別、即ち紙幣単位で特定区分に該当するか否かを特定する。搬送部は、収納庫から紙幣を繰り出し、選別の結果に応じて指定された種類の紙幣を所定の回収部に搬送する。搬送部とは、紙幣を搬送するためのベルトやローラ等の搬送機構と、それを制御する制御部の総称である。回収部は、紙幣回収用の収納庫、紙幣を入出金するための入出金口、搬送過程で紙幣を一時的に保管するための一時保管庫などを利用することができる。本発明の紙幣取扱装置によれば、区分ごとに専用の収納庫を設けるまでなく、多区分の紙幣が混在する収納庫から、特定区分の紙幣のみを回収部に選別回収することができる。
【００１１】
上記選別は、種々の態様で実現可能である。第１の態様として、搬送過程で紙幣の区分に関する鑑別を行う鑑別部を備え、回収時に紙幣を鑑別して選別してもよい。こうすることにより、収納庫内の紙幣について、紙幣単位で鑑別結果を予め管理する必要がなくなる。ユーザまた、紙幣を整然と収納することができないタイプの収納庫であっても、選別回収することが可能となる。
【００１２】
第２の態様として、入出金口や紙幣装填用のカセットなどの所定の取込口から取り込まれる紙幣について区分に関する鑑別を行ってもよい。鑑別の結果を収納庫に収納される紙幣単位で対応づけて記憶部に記憶することにより、選別部はこの記憶部を参照して選別を行うことができる。こうすることにより、回収時での鑑別過程が省略され、選別処理の簡略化および効率化を実現できる。
【００１３】
上述の第１の態様、第２の態様を組み合わせ、回収時にさらに鑑別を行うこととしてもよい。選別部は、記憶された鑑別結果と回収過程における鑑別結果に基づいて選別処理を行うことができる。こうすることにより、選別処理の精度を高めることができる。
【００１４】
第２の態様においては、鑑別結果と併せて、取り込まれる紙幣を入金した入金者を特定可能な情報を併せて記憶するものとしてもよい。預け入れなどの取引時に、ユーザが入金した場合、かかる情報としては、入金者、即ちユーザの氏名など種々の情報を用いることが可能であるが、金融機関口座番号とすることが、特定を容易かつ確実にできる点で有効である。管理者が装填用のカセットから紙幣を入金した場合には、管理者名、金融機関名などを上述の情報として用いても良い。このように、入金者を特定可能な情報を紙幣と対応付けて管理することにより、入出金時の障害への対処を容易にする利点がある。また、不明券や偽券を特定区分とする場合には、その出所の特定に利用することができる。例えば、問題となる紙幣が入金された日時や入金者を特定することにより、搬入ルートや他の事例との関連性を検証する等、有効に活用できる。
【００１５】
本発明において紙幣の選別回収は、例えば、回収部を含めて、収納庫から繰り出された紙幣の搬送先を複数設け、選別の結果に基づいて、搬送先を切り換えることにより比較的容易に実現することができる。搬送先には、例えば、一時保管庫を含めても良い。
【００１６】
本発明における紙幣の区分は、例えば、真偽鑑別の結果に基づき、真券、偽券、真偽不明な不明券と設定することができ、不明券のみ、または不明券と偽券を特定区分とすることができる。こうすることで、真券でない紙幣を効率的に回収でき、その解析を効率的に行うことができる。本発明において、特定区分は、一区分としてもよいし、偽券及び不明券、万円券および千円券というように、二種以上の紙幣を回収対象としてもよい。また、一部の区分を除いた紙幣を特定区分と設定してもよい。
【００１７】
本発明は、上述した紙幣取扱装置としての構成の他、紙幣取扱装置の制御方法として構成してもよい。また、紙幣取扱装置における上述の制御処理を実現するためのコンピュータプログラムおよびこれを記録した記録媒体として構成してもよい。ここで、記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明の効果】
【００１８】
本発明によれば、紙幣を鑑別し、その鑑別結果を利用することにより、種々の紙幣が混在する収納庫から、特定区分の紙幣を効率的に選別回収することができる。
【発明を実施するための最良の形態】
【００１９】
以下、本発明の実施の形態について、以下の項目に分けて説明する。
Ａ．装置の構成：
Ａ１．全体構成：
Ａ２．紙幣取扱装置：
Ａ３．機能ブロック：
Ｂ．入金制御処理：
Ｃ．回収処理：
Ｄ．第２実施例：
Ｄ１．装置構成：
Ｄ２．鑑別結果データベース：
Ｄ３．回収処理：
Ｅ．変形例：
【００２０】
Ａ．装置の構成：
Ａ１．全体構成：
図１は、本発明の実施例としての現金自動取引装置２００の概略構成を示す説明図である。現金自動取引装置２００は、銀行などに設置され、ユーザの操作に応じて入出金処理を無人で行うための装置である。
【００２１】
本実施例の現金自動取引装置２００（以下、ＡＴＭという）には、次のユニットが図示する配置で備えられている。カード取扱機構２０５は、いわゆるキャッシュカードなど磁気ストライプカードに記録された情報を読みとる機能を奏する。カードに記録された情報には、例えば、金融機関番号、科目、ユーザの口座番号などが含まれる。
【００２２】
操作部２０３は、入出金取引のための情報表示および入出金のための操作入力を行うためのユーザとのインタフェースである。本実施例では、タッチパネルを用いるものとしたが、ディスプレイと押しボタンスイッチなどの組み合わせで構成してもよい。
【００２３】
ユーザとの紙幣の授受は、紙幣入出金口２０７を通じて行われる。入金時には、ユーザが紙幣入出金口２０７に入れた紙幣は、紙幣取扱装置１００によって、鑑別され、金種ごとに分類されて保管される。出金時には、紙幣取扱装置１００は、ユーザの指示した金額に応じた紙幣を用意し、紙幣入出金口２０７からユーザに受け渡す。明細票発行機構２０６は、これらの取引の内容を記録した明細票を発行する。
【００２４】
また、本実施例の現金自動取引装置２００は、これらの基本的な動作モードの他に、金融機関の管理者が使用するモードとして、回収モードを設けている。詳細は後述するが、回収モードでは、紙幣取扱装置１００は、偽券および不明券を選別し、紙幣入出金口２０７に排出する。
【００２５】
現金自動取引装置２００には、ここで例示した構成に限らず種々のユニットを設けることが可能である。例えば、上記ユニットに加えて通帳を取り扱うユニットを設けても良い。
【００２６】
以上で説明した現金自動取引装置の各ユニットの動作は、制御ユニット２０２によって制御される。制御ユニット２０２は、内部にＣＰＵ、メモリを備えたマイクロコンピュータとして構成されている。制御ユニット２０２は、図中に矢印で示す通り、各ユニットと情報の授受を行い、現金自動取引装置２００全体の動作を制御する。制御ユニット２０２は、ホストコンピュータ３００と通信回線で接続されている。制御ユニット２０２が、取引に関する情報をホストコンピュータ３００に送信することにより、ユーザの口座への入出金などの処理がホストコンピュータ３００側で行われる。
【００２７】
Ａ２．紙幣取扱装置：
図２は紙幣取扱装置１００の概略構成を示す側断面図である。紙幣取扱装置１００は、入金された紙幣を、以後の出金に再利用する型、いわゆる環流型であり、金庫部１５０と上部ユニット１１０から構成されている。
【００２８】
金庫部１５０は、厚板の金属で覆われ、堅牢に構成されている。金庫部１５０には、出金に使用できる正常な紙幣（以下、「真券」と呼ぶ）を保管するための環流庫１７０〜１７２、損傷がひどいなど再使用に不適な真券（以下、「リジェクト券」と呼ぶ）や偽券、真偽不明な不明券を混在して保管するためのリジェクトボックス１６０が備えられている。
【００２９】
環流庫１７０〜１７２に保管される金種は、環流庫単位で予め決められている。環流庫１７０には、庫内での紙幣の配列順序が混乱しないよう、紙幣を整然と保持するための可動式の押板１７０Ａが設けられている。他の環流庫１７１、１７２にも同様の押板が設けられている。リジェクトボックス１６０は、環流庫と異なり、紙幣を整然と保持することはできないが、一枚ずつ繰り出すことは可能な構造となっている。かかる構造に代えて、リジェクトボックス１６０に、環流庫と同様の構造を適用しても構わない。
【００３０】
上部ユニット１１０の構造は次の通りである。入出金口１１１は、ユーザからの紙幣の受け付け、ユーザへの紙幣の受け渡しを行うための空隙である。入出金口１１１の入り口には、シャッタ１１６が設けられている。このシャッタ１１６は先に説明した現金自動取引装置２００の紙幣入出金口２０７と連動して自動的に開閉する。
【００３１】
上部ユニット１１０内には、入出金の過程で紙幣を一時的に保管する一時保管庫１２２が用意されている。一時保管庫１２２は、巻き取り式、即ち回転ドラムにベルトを巻き付けつつ、そのベルトによって紙幣を搬送されてきた順序で一枚ずつ保持する形式を用いた。一時保管庫１２２は巻き取り式に限らず、搬送されてきた順序通りに紙幣を保管可能な種々の機構を適用することができる。
【００３２】
入出金口１１１および各保管庫間の紙幣の搬送は、搬送部１４０によって行われる。搬送部１４０は、ローラ、ベルトなどの搬送機構を利用して、紙幣を搬送するための機構である。搬送部１４０の経路には、紙幣の搬送先を切り換えるためのゲートが設けられている。ゲート１４１は、一時保管庫１２２と入出金口１１１との切り換えを行う。ゲート１４３は、搬送先をリジェクトボックス１６０に切り換える。ゲート１４４、１４５は、それぞれ搬送先を各環流庫１７０〜１７２に切り換える。
【００３３】
各ゲートは、搬送部１４０の経路上に設けられた鑑別部１２６での鑑別結果に基づいて切り換えられる。鑑別部１２６は光学センサその他のセンサによって、通過する紙幣について金種、真偽を一枚ずつ鑑別し、その結果を出力する。鑑別は、紙幣をスキャンして得られる画像データ、磁気特性、紫外線などに対する光学特性など種々の情報を利用して行うことができる。
【００３４】
図２では、図示を省略したが、紙幣取扱装置１００の内部には制御ユニットが備えられている。制御ユニットは、内部にＣＰＵ、メモリを備えるマイクロコンピュータとして構成されており、予め用意されたプログラムに従って、紙幣取扱装置１００の動作を制御する。
【００３５】
Ａ３．機能ブロック：
図３はＡＴＭ２００の機能ブロックを示す説明図である。図中の各機能ブロックは、制御ユニット２０２内にソフトウェア的に構築されている。これらの機能ブロックは、ハードウェア的に構成することも可能である。これらの機能の少なくとも一部を、紙幣取扱装置１００の内部に設けられた制御ユニットによって実現しても構わない。各機能ブロックは、主制御部１０４の制御下でそれぞれ以下の機能を奏する。
【００３６】
通信部１０２は、ホストコンピュータ３００との通信を制御する。鑑別実行部１０１は、鑑別部１２６を用いて、紙幣の鑑別を行う。入出金制御部１０３は、入出金時の紙幣の搬送を制御する。カード、通帳取扱制御部１０７は、キャッシュカード、通帳などから、取引対象となる金融機関番号、科目、ユーザの口座番号を入力し、通帳への記帳を行う。
【００３７】
インタフェース制御部１０５は、操作部２０３への画面提示、ユーザやオペレータによる操作の入力を行う。オペレータによる操作には、回収モードの実行指示が含まれる。本実施例では、この実行指示を操作部２０３で行うものとしたが、紙幣取扱装置１００の背面に、オペレータ専用の操作部を設けても良い。
【００３８】
搬送制御部１０６は、保管庫への紙幣の収納、保管庫からの紙幣の繰り出し、ゲートの切り替え等を含めた紙幣の搬送処理全般を制御する。搬送制御部１０６は、この制御を実現するために、各モードについて、紙幣の区分と搬送先を対応づけて記憶している。図中には、入金計数、入金収納、出金、回収の各モードについての搬送先を例示した。
【００３９】
図４は紙幣取扱装置１００の動作モードを示す説明図である。図の上段には入金時の紙幣の搬送状態、下段には出金時の紙幣の搬送状態を模式的に示した。
【００４０】
入金時には、利用者によって入出金口１１１に挿入された紙幣は、矢印ａ１〜ｃ１に示す通り、鑑別部１２６を通過し、鑑別された後、一時保管庫１２２に収納される。鑑別によってリジェクト券と判断された紙幣については、矢印ｄ１に示す通り、入出金口１１１に返却される。偽券および不明券については、本実施例では、一時保管庫１２２に収納するものとした。ＡＴＭ２００は、この鑑別時によって、入金された紙幣の金種および枚数を特定し、金額を計算する。ここまでの動作を入金計数と称する。かかる搬送を実現するため、搬送制御部１０６には、図３に示した通り、リジェクト券の搬送先として「入出金口」、その他の搬送先として「一時保管庫」が設定されている。
【００４１】
次に、利用者が、タッチパネルに表示された金額を確認し、入金指示を行うと、紙幣取扱装置１００は、矢印ｅ１〜ｇ１に示す通り、一時保管庫１２２から紙幣を繰り出し、鑑別部１２６を介して各環流庫に紙幣を保管する。この動作を入金収納と呼ぶ。一時保管庫１２２に保管されていた偽券、不明券は、リジェクトボックス１６０に収納される。鑑別部１２６は、入金収納時にも紙幣の鑑別を行い、リジェクト券、偽券、不明券が発券された場合、これらの紙幣もリジェクトボックス１６０に収納する。その他の真券については、金種に応じた環流庫１７０〜１７２に保管する。かかる搬送を実現するため、搬送制御部１０６には、図３に示した通り、真券の搬送先として金種に応じた「環流庫」、その他の紙幣、即ち、リジェクト券、偽券、不明券の搬送先として「リジェクトボックス」が設定されている。
【００４２】
出金時には、ＡＴＭ２００は、利用者が指定した金額に応じて出金すべき金種および枚数を特定し、各環流庫から紙幣を繰り出す。この紙幣は、図中の矢印ａ２〜ｃ２で示す通り、鑑別部１２６を介して入出金口１１１に出金される。この動作を出金処理と称する。鑑別部１２６は、出金処理時にも紙幣の鑑別を行う。この鑑別によってリジェクト券、偽券、不明券が発見された場合、その紙幣は、図中の矢印ｄ２で示す通り、一時保管庫１２２に保管する。一時保管庫１２２の紙幣は、入金収納時と同様の動作によって、出金処理が完了した後、リジェクトボックス１６０に再保管する。かかる搬送を実現するため、搬送制御部１０６には、図３に示した通り、真券の搬送先として「入出金口」、その他の紙幣の搬送先として「一時保管庫」が設定されている。
【００４３】
回収とは、オペレータの指示によって実行される動作である。紙幣取扱装置１００は、リジェクト券、偽券、不明券が混在して収納されたリジェクトボックス１６０から紙幣を繰り出し、鑑別を行う。リジェクト券も含む真券については、回収対象ではないため、図中の矢印ａ２、ｂ２、ｄ２で示す通り、一時保管庫１２２に搬送する。その他の紙幣、即ち、偽券、不明券については、回収対象として、図中の矢印ａ２〜ｃ２で示す通り、入出金口１１１に搬送する。一時保管庫１２２に収納された紙幣については、入金収納と同様の動作によって、リジェクトボックスに再収納することができる。かかる搬送を実現するため、搬送制御部１０６には、図３に示した通り、真券の搬送先として「一時保管庫」、その他の紙幣の搬送先として「入出金口」が設定されている。
【００４４】
回収対象は、この例に限らず、種々の設定が可能であり、不明券のみを回収対象としてもよい。この場合は、搬送制御部１０６において、「真券および偽券」の搬送先を「一時保管庫」、「不明券」の搬送先を「入出金口」と設定すればよい。
【００４５】
Ｂ．入金制御処理：
図５は入金制御処理のフローチャートである。利用者が「預け入れ」、「現金での振り込み」など、入金を伴う取引を選択した時に、制御ユニット２０２が実行する処理である。少なくとも一部の処理を、紙幣取扱装置１００の制御ユニットで実現するものとしてもよい。
【００４６】
この処理が開始されると、制御ユニット２０２は、キャッシュカードから顧客の口座番号など取引に必要な情報を読み込む（ステップＳ１０）。次に、入出金口１１１から紙幣を取り込み、鑑別し（ステップＳ１１）、その結果に基づき、紙幣の搬送を制御する（ステップＳ１２）。先に説明したとおり、リジェクト券については入出金口１１１に返却し、その他の紙幣については一時保管庫１２２に収納する。これらの処理と併せて、計数結果の表示を行う（ステップＳ１３）。ステップＳ１１〜Ｓ１３の処理は、利用者が入金指示を行うまで繰り返し行われる（ステップＳ１４）。
【００４７】
利用者が表示された金額を確認して、入金指示を行うと（ステップＳ１４）、制御ユニットは入金収納処理を行う（ステップＳ２０）。先に図４で説明した通り、一時保管庫１２２から紙幣を繰り出し、リジェクトボックス１６０または環流庫１７０〜１７２に収納する。
【００４８】
以上の処理で、偽券、不明券が発見された場合（ステップＳ４０）、制御ユニット２０２は、所定の通知先、例えば、金融機関の責任者などに対して、ネットワークその他の通信回線を通じて、通知を行う（ステップＳ４１）。この通知により、偽券、不明券を投入した利用者の特定などを迅速に行うことができる。
【００４９】
偽券、不明券が発見されない場合には（ステップＳ４０）、制御ユニット２０２は、キャッシュカードを返却して（ステップＳ４２）、取引を完了する。このように入金収納が完了するまで、キャッシュカードの返却を遅らせることにより、利用者をＡＴＭ２００の所に留めることができ、偽券、不明券が発見された場合の迅速な対応を可能とすることができる。
【００５０】
Ｃ．回収処理：  図６は回収処理のフローチャートである。本処理は、リジェクトボックス１６０から偽券および不明券を選別回収するための指示であり、オペレータがタッチパネルを操作して、回収モードを指示することで始まる。
【００５１】
制御ユニットは、オペレータからの回収指示を受信すると（ステップＳ５０）、リジェクトボックス１６０に収納された紙幣を１枚ずつ繰り出し（ステップＳ５２）、鑑別部１２６で真偽の鑑別処理を行う（ステップＳ５４）。鑑別された紙幣がリジェクト券も含む真券の場合は回収対象でないと判断して、一時保管庫へ搬送する（ステップＳ５６、Ｓ５８）。その他の紙幣、即ち偽券および不明券である場合は、回収対象であると判断し、入出金口１１１へ搬送する（ステップＳ５６、Ｓ６０）。
【００５２】
制御ユニットは、リジェクトボックス１６０に収納されている全紙幣について、以上の処理を繰り返し実行する（ステップＳ６２）。その後、制御ユニットは、一時保管庫１２２の紙幣をリジェクトボックス１６０に再収納する（ステップＳ６４）。
【００５３】
本発明の第１実施例によれば、回収時に各紙幣の鑑別を行うことにより、種々の紙幣が混在して収納されたリジェクトボックス１６０から、偽券および不明券を効率的に選別回収することができる。紙幣取扱装置１００に回収対象となる紙幣のみを収納する専用の収納庫を設けるまでなく、これらの紙幣の選別回収を実現することができるため、装置の小型化、構造の簡素化を図ることができる。
【００５４】
Ｄ．第２実施例：
Ｄ１．装置構成：
図７は第２実施例の紙幣取扱装置１００Ａの概略構成を示す側断面図である。紙幣取扱装置１００Ａは、金庫部１５０Ａの構造が、第１実施例と相違する。
【００５５】
金庫部１５０Ａには、収納庫として、２つの環流庫２７１、２７２、およびリジェクトボックス２７０が備えられている。いずれの収納庫も、第１実施例の環流庫１７０〜１７２と同様の構造を有しており、紙幣を整然と収納することが可能である。環流庫の数は、更に増やしても構わない。
【００５６】
Ｄ２．鑑別結果データベース：
図８は機能ブロックを示す説明図である。各機能ブロックは、第１実施例と同様、ＡＴＭの制御ユニット２０２Ａ内にソフトウェア的に構成される。保管庫データベース（ＤＢ）１０８Ａは、各保管庫に収納されている紙幣について、紙幣単位で出所情報、真偽などを記録する。リジェクトボックス２７０の紙幣についても紙幣単位で出所情報、真偽などを記録する。
【００５７】
その他の機能ブロック１０１Ａ〜１０７Ａの動作は、第１実施例（図２参照）と同様である。処理過程で、適宜、保管庫ＤＢ１０８Ａへのアクセスを伴う場合があるため、第１実施例とは異なる符号を付した。
【００５８】
図９は保管庫ＤＢ１０８Ａの内容を示す説明図である。このデータベースは、アドレス情報管理データと、鑑別結果管理データの２種類から構成される。アドレス情報管理データは、鑑別結果が格納されるメモリのアドレス情報を、一時保管庫１２２、一万円札を保管する環流庫（以下、「万円庫」と称する）２７１、千円札を保管する環流庫（以下、「千円庫」と称する）２７２、およびリジェクトボックス１６０に保管される紙幣ごとに対応づけて管理するデータである。図の例では、一時保管庫１２２の１枚目の紙幣に対応するデータはアドレス「０００１」に保管されていることになる。１枚目とは、各保管庫に最初に搬入された紙幣を意味する。
【００５９】
各保管庫は、後から搬入された紙幣が先に繰り出される構造となっているため、アドレス情報管理データはスタック型で管理される。つまり、各保管庫に紙幣が搬入される度に、アドレスの格納領域は「１枚目、２枚目...ｎ枚目」と増加し、紙幣が繰り出される度に、アドレスの格納領域は「ｎ枚目...２枚目、１枚目」と低減する。アドレスの格納領域は、保管庫ごとにスタックポインタ、即ち各保管庫に何枚の紙幣が保管されているかを示すデータによって管理される。
【００６０】
アドレス情報管理データには、鑑別結果管理データのうち、空いている領域のアドレス情報を管理する領域も併せて設けられている。空きアドレス領域には、「１枚目、２枚目...ｎ枚目」という概念は存在しないが、本実施例では、データベース構造の簡素化を図るため、保管庫と同様、スタック型で管理するものとした。
【００６１】
鑑別結果管理データは、各紙幣の鑑別結果を記憶するデータである。本実施例では、金種、真偽、正損、表裏を、鑑別結果として記憶するものとした。また、鑑別結果と併せて出所情報も記憶するものとした。出所情報とは、紙幣を搬入したユーザを特定するための情報であり、本実施例では、入金処理時にキャッシュカード等を通じて取得された口座番号を用いた。鑑別結果管理データは、紙幣ごとにこれらの情報を管理する。例えば、図の例では、アドレス「０００１」で代表されるメモリ領域には、「金種＝１万円、真偽＝真、正損＝正、表裏＝表、出所情報＝００００００１」という鑑別結果が記憶されている。ここでは、図示の便宜上、記憶されるべき鑑別結果を文字で表現したが、各項目のデータは、それぞれ符号化して記憶すればよい。
【００６２】
本実施例では、鑑別結果として「不明」または「不確定」という出力を許容するものとした。例えば、使用可能な許容範囲の限界に近い損傷を受けた紙幣が搬入された場合を考える。かかる紙幣については、鑑別結果が不安定にならざるを得ない。かかる不安定を回避するため、許容範囲よりも損傷の程度が十分に低い紙幣のみを正券と判断すれば、リジェクト券の割合が無用に増大するという弊害を招く。そこで、本実施例では、損傷の程度が、許容範囲の限界に近い一定範囲にある場合には、正損について「不明」という出力を許容するものとした。表裏についても、同じく完全に判断ができない場合には、「不明」という出力を許容するものとした。図中の例では、「？」が付された項目は、それぞれ不明であることを意味している。例えば、真偽について「？」が付された紙幣は、真偽不明の不明券であることを意味している。
【００６３】
紙幣の搬送が行われた場合のデータ管理について説明する。図中に例示するように、一時保管庫１２２の１枚目、２枚目および千円庫２７２の１枚目に紙幣が保管されている場合を考える。先に説明した通り、各紙幣についての鑑別結果は、アドレス情報管理データで示されるアドレスに対応したメモリ領域に保管されている。
【００６４】
この状態において、一時保管庫から紙幣が順次、繰り出される場合を考える。一時保管庫の２枚目の紙幣はリジェクトボックスに搬送され、１枚目の紙幣は万円庫２７１に搬送されるものとする。アドレス情報管理データでは、この搬送に併せて、一時保管庫の２枚目の領域に格納されていたアドレス情報「０００２」が、リジェクトボックスの１枚目の領域に移行される。一時保管庫の１枚目の領域に格納されていたアドレス情報「０００１」が、万円庫の１枚目の領域に移行される。
【００６５】
次に、千円庫２７２から紙幣が出金された場合を考える。出金された場合には、保管庫間の移動とは異なり、鑑別結果の管理が不要となる。従って、出金された紙幣に相当するアドレス「０００３」に格納されているデータを鑑別結果管理データから削除する。これと併せて、アドレス情報管理データでは、空いたアドレス情報「０００３」を空きアドレスを管理する領域に移行する。
【００６６】
このように、本実施例の鑑別結果データベースでは、アドレス情報を移行させることにより、鑑別結果のデータ全体を移行させるまでなく、保管庫間での紙幣の移動に併せて鑑別結果を比較的容易に管理することができる。鑑別結果データベースは、ここで例示した構造に限定されるものではなく、各保管庫の紙幣に対応づけて鑑別結果を管理可能な種々の構造を適用可能である。もちろん、各保管庫の紙幣に対応づけられた領域を固定とし、鑑別結果を示すデータ自体を移動させてもよい。また、紙幣が重なって搬送されるダブルフィードを検出した場合には、それらの紙幣をダブルフィード専用の収納庫に収納して、データを管理してもよい。本実施例では、各保管庫における紙幣の配列と対応づけて鑑別結果を管理する態様を例示したが、両者の対応づけが可能であれば、いかなる方法で鑑別結果を管理しても構わない。
【００６７】
Ｄ３．入金処理および回収処理：
第２実施例における入金処理および回収処理の制御は、第１実施例（図５、図６）のフローチャートに違って実行される。第２実施例では、第１実施例の処理に加えて、入金時には、図５のステップＳ１１において鑑別結果を、保管庫ＤＢ１０８Ａに格納する。こうすることで、保管庫ＤＢ１０８Ａには、図９に示した態様で、真券、偽券、不明券などの情報が格納される。
【００６８】
回収時には、制御ユニット２０２Ａは、図６のステップＳ５４における鑑別処理に代えて、保管庫ＤＢ１０８Ａを参照する。これによって、制御ユニット２０２Ａは、各紙幣が、真券、偽券、不明券のいずれの区分に該当するかを特定することができる。
【００６９】
第２実施例によれば、入金時の鑑別結果を利用して、偽券および不明券を選別回収することができる。こうすることにより、回収時での鑑別過程が省略されるため、迅速な回収処理を行うことができる。また、第２実施例においては、紙幣ごとに出所情報を記憶しているため、回収された偽券および不明券の出所の特定が容易となる利点がある。
【００７０】
Ｅ．変形例：
（１）  第１実施例および第２実施例では、環流型の紙幣取扱装置を例示したが、本発明は、非環流型に適用することも可能である。例えば、ＣＤ機とよばれるタイプの現金自動取引装置においては、入金された全紙幣は、金種、真偽の区別なく入金専用収納庫に収納される。この入金専用収納庫を、実施例におけるリジェクトボックスに相当するものとして扱うことにより、入金専用の収納庫から、偽券および不明券を選別回収することができる。
【００７１】
（２）  回収対象となる紙幣は、偽券および不明券に限らず、種々の区分に基づいて設定可能である。例えば、特定の金種の紙幣を、回収対象としてもよい。収納時の表裏の状態に基づいて、回収対象を特定してもよい。
【００７２】
（３）  回収対象は、予め固定されている場合に限らず、オペレータが指示可能としてもよい。例えば、オペレータが回収指示を行うためのメニュー画面において、回収対象となる紙幣を指定するメニューを設ける方法を採ることができる。回収対象となる紙幣は、回収を行う度に指定するようにしてもよいし、予め設定しておくようにしてもよい。
【００７３】
以上、本発明の種々の実施例について説明したが、本発明はこれらの実施例に限定されず、その趣旨を逸脱しない範囲で種々の構成をとることができる。例えば、以上の制御処理は、ソフトウェアで実現するほか、ハードウェア的に実現するものとしてもよい。
【図面の簡単な説明】
【００７４】
【図１】本発明の実施例としての現金自動取引装置２００の概略構成を示す説明図である。
【図２】紙幣取扱装置１００の概略構成を示す側断面図である。
【図３】ＡＴＭ２００の機能ブロックを示す説明図である。
【図４】紙幣取扱装置１００の動作モードを示す説明図である。
【図５】入金制御処理のフローチャートである。
【図６】回収処理のフローチャートである。
【図７】第２実施例の紙幣取扱装置１００Ａの概略構成を示す側断面図である。
【図８】機能ブロックを示す説明図である。
【図９】保管庫ＤＢ１０８Ａの内容を示す説明図である。
【符号の説明】
【００７５】
１００、１００Ａ...紙幣取扱装置
１０１、１０１Ａ...鑑別実行部
１０２、１０２Ａ...通信部
１０３、１０３Ａ...入出金制御部
１０４、１０４Ａ...入出金制御部
１０５、１０５Ａ...インタフェース制御部
１０６、１０６Ａ...搬送制御部
１０７、１０７Ａ...通帳取扱制御部
１０８Ａ...保管庫データベース
１１０...上部ユニット
１１１...入出金口
１１６...シャッタ
１２２...一時保管庫
１２６...鑑別部
１４０...搬送部
１４１、１４３、１４４...ゲート
１５０、１５０Ａ...金庫部
１６０...リジェクトボックス
１７０〜１７３...環流庫
１７０Ａ...押板
２００...現金自動取引装置
２０２、２０２Ａ...制御ユニット
２０３...操作部
２０５...カード取扱機構
２０６...明細票発行機構
２０７...紙幣入出金口
２７０...リジェクトボックス
２７１...万円庫
２７２...千円庫
【図１】
2005092421.tif 000003
【図２】
2005092421.tif 000004
【図３】
2005092421.tif 000005
【図４】
2005092421.tif 000006
【図５】
2005092421.tif 000007
【図６】
2005092421.tif 000008
【図７】
2005092421.tif 000009
【図８】
2005092421.tif 000010
【図９】
2005092421.tif 000011